(57)【要約】  本発明の実施例はレーザーレーダーシステム及びレーザー測距方法を提供する。該レーザーレーダーシステムはレーザー走査部材及び回転部材を含み、上記レーザー走査部材は送信アセンブリ、送信レンズ、受信レンズ及び受信アセンブリを含む。上記送信アセンブリは複数の送信機モジュール、複数のマルチコア光ファイバコネクタ及び第１光ファイバアレイを含み、上記受信アセンブリは複数の受信機モジュール、複数のマルチコア光ファイバコネクタ及び第２光ファイバアレイを含む。本発明の実施例によるレーザーレーダーシステムは、光ファイバアレイを送信アセンブリのレーザー送信端及び受信アセンブリの反射光入射端とすることによって、レーザーレーダーの体積を減少して、生産コストを低減させることができる。また、マルチコア光ファイバコネクタによってレーザー送信機及び受信機を光ファイバアレイにグルーピングして接続することによって、レーザーレーダー構造のモジュラーを実現することができ、それによりレーザーレーダーのメンテナンスコストを低減させる。
2021517634.tif 000002
【特許請求の範囲】
【請求項１】
レーザーレーダーシステムであって、レーザー走査部材及び回転部材を含み、
前記回転部材は、前記レーザー走査部材を回転することに用いられ、
前記レーザー走査部材は、
複数の送信機モジュール、複数のマルチコア光ファイバコネクタ及び第１光ファイバアレイを含み、前記複数の送信機モジュールにおける各送信機モジュールは複数のレーザー送信機を含み、各レーザー送信機が１本の光ファイバに対応し、且つ前記光ファイバによって光伝導し、前記複数のレーザー送信機に対応した複数の光ファイバが１つのマルチコア光ファイバコネクタによって前記第１光ファイバアレイに接続される送信アセンブリ、
前記第１光ファイバアレイからのレーザーをコリメーションした後に送信するための送信レンズ、
複数の受信機モジュール、複数のマルチコア光ファイバコネクタ及び第２光ファイバアレイを含み、前記複数の受信機モジュールにおける各受信機モジュールは複数の受信機を含み、各受信機が１本の光ファイバに対応して、且つ前記光ファイバが伝導した反射光を受信し、前記複数の受信機に対応した複数の光ファイバが１つのマルチコア光ファイバコネクタによって前記第２光ファイバアレイに接続される受信アセンブリ、及び、
前記レーザーの反射光を受信して、且つ前記反射光を前記第２光ファイバアレイに収束する受信レンズを更に含むことを特徴とするレーザーレーダーシステム。
【請求項２】
前記各送信機モジュールは複数のビーム整形器を更に含み、前記複数のビーム整形器が前記送信機モジュールにおける複数のレーザー送信機に一々対応し、前記ビーム整形器はレーザー送信機が送信したレーザーを対応した光ファイバにカップリングすることを特徴とする請求項１に記載のレーザーレーダーシステム。
【請求項３】
前記ビーム整形器はビスシリンドリカルレンズであり、前記ビスシリンドリカルレンズの２つのシリンダーの母線は互いに直交することを特徴とする請求項２に記載のレーザーレーダーシステム。
【請求項４】
前記ビーム整形器は光回折に基づくビーム整形器であり、コリメートレンズ、第１回折素子及び第２回折素子を含み、
前記コリメートレンズは、前記レーザー送信機が送信したビームを速軸方向においてコリメーションして、細長いストリップのビームに変えることに用いられ、
前記第１回折素子は、前記細長いストリップのビームを若干のビームに分け、中心ビームを除いて、残りの各ビームがそれぞれ異なる空間的向きに偏向することに用いられ、
前記第２回折素子は、前記残りの各ビームを補正して、前記残りの各ビームと前記中心ビームを重なり合わせ、且つ対応した光ファイバの端面にフォーカスすることに用いられることを特徴とする請求項２に記載のレーザーレーダーシステム。
【請求項５】
前記ビーム整形器は光回折に基づくビーム整形器であり、第１レンズ、第１回折素子、第２回折素子及び第２レンズを含み、
前記第１レンズは、前記レーザー送信機が送信したビームを速軸方向においてコリメーションして、細長いストリップのビームに変えることに用いられ、
前記第１回折素子は、前記細長いストリップのビームを若干のビームに分け、中心ビームを除いて、残りの各ビームがそれぞれ異なる空間的向きに偏向することに用いられ、
前記第２回折素子は、前記残りの各ビームを補正して、前記残りの各ビームと前記中心ビームを平行にさせることに用いられ、
前記第２レンズは、前記第２回折素子からの前記残りの各ビームと前記中心ビームを重なり合わせ且つ対応した光ファイバの端面にフォーカスすることに用いられることを特徴とする請求項２に記載のレーザーレーダーシステム。
【請求項６】
前記各受信機モジュールは複数のマイクロレンズを更に含み、前記複数のマイクロレンズが前記受信機モジュールにおける複数の受信機に一々対応し、光ファイバが伝導した反射光を対応した受信機に収束することに用いられることを特徴とする請求項１に記載のレーザーレーダーシステム。
【請求項７】
前記第１光ファイバアレイの端面は前記送信レンズの焦点面にあり、前記第２光ファイバアレイの端面は前記受信レンズの焦点面にあることを特徴とする請求項１に記載のレーザーレーダーシステム。
【請求項８】
前記第１光ファイバアレイは一次元光ファイバアレイ又は二次元光ファイバアレイであり、前記第２光ファイバアレイは一次元光ファイバアレイ又は二次元光ファイバアレイであることを特徴とする請求項１−７のいずれかに記載のレーザーレーダーシステム。
【請求項９】
前記送信アセンブリの複数の送信機モジュールは１つの回路基板に取り付けられ、或いは各送信機モジュールは１つの回路基板に取り付けられ、或いは前記複数の送信機モジュールは複数の回路基板グルーピングするように取り付けられることを特徴とする請求項１−５のいずれかに記載のレーザーレーダーシステム。
【請求項１０】
前記受信アセンブリの複数の受信機モジュールは１つの回路基板に取り付けられ、或いは各受信機モジュールは１つの回路基板に取り付けられ、或いは前記複数の受信機モジュールは複数の回路基板にグルーピングするように取り付けられることを特徴とする請求項１又は６に記載のレーザーレーダーシステム。
【請求項１１】
レーザー測距方法であって、レーザーレーダーシステムによってレーザー測距を行い、前記レーザーレーダーシステムはレーザー走査部材及び回転部材を含み、
前記レーザー走査部材は、送信アセンブリ、送信レンズ、受信アセンブリ及び受信レンズを含み、前記送信アセンブリは複数の送信機モジュール、複数のマルチコア光ファイバコネクタ及び第１光ファイバアレイを含み、前記複数の送信機モジュールにおける各送信機モジュールが複数のレーザー送信機を含み、各レーザー送信機が１本の光ファイバに対応し、前記複数のレーザー送信機に対応した複数の光ファイバは１つのマルチコア光ファイバコネクタによって前記第１光ファイバアレイに接続され、前記受信アセンブリは複数の受信機モジュール、複数のマルチコア光ファイバコネクタ及び第２光ファイバアレイを含み、前記複数の受信機モジュールにおける各受信機モジュールは複数の受信機を含み、各受信機が１本の光ファイバに対応し、前記複数の受信機に対応した複数の光ファイバは１つのマルチコア光ファイバコネクタによって前記第２光ファイバアレイに接続され、
前記回転部材は前記レーザー走査部材を回転し、
前記各レーザー送信機はレーザーを送信して、前記レーザーが対応した光ファイバによって光伝導され、且つ前記第１光ファイバアレイから送信され、
前記送信レンズは前記第１光ファイバアレイからのレーザーをコリメーションした後に送信し、
前記受信レンズは前記レーザーの反射光を受信して、且つ前記反射光を前記第２光ファイバアレイに収束し、
前記各受信機は対応した光ファイバが伝導した反射光を受信することを特徴とするレーザー測距方法。
【請求項１２】
前記方法は、前記各送信機モジュールは複数のビーム整形器を含み、前記複数のビーム整形器が前記送信機モジュールにおける複数のレーザー送信機に一々対応し、前記ビーム整形器はレーザー送信機が送信したレーザーを対応した光ファイバにカップリングすることを更に含むことを特徴とする請求項１１に記載のレーザー測距方法。
【請求項１３】
前記ビーム整形器はビスシリンドリカルレンズであり、前記ビスシリンドリカルレンズの２つのシリンダーの母線は互いに直交することを特徴とする請求項１２に記載のレーザー測距方法。
【請求項１４】
前記ビーム整形器は光回折に基づくビーム整形器であり、コリメートレンズ、第１回折素子及び第２回折素子を含み、
前記ビーム整形器はレーザー送信機が送信したレーザーを対応した光ファイバにカップリングするのは、
前記コリメートレンズは前記レーザー送信機が送信したビームを速軸方向においてコリメーションして、細長いストリップのビームに変えること、
前記第１回折素子は前記細長いストリップのビームを若干ビームに分け、中心ビームを除いて、残りの各ビームがそれぞれ異なる空間的向きに偏向すること、及び
前記第２回折素子は前記残りの各ビームを補正して、前記残りの各ビームと前記中心ビームを重なり合わせ、且つ対応した光ファイバの端面にフォーカスすることを含むことを特徴とする請求項１２に記載のレーザー測距方法。
【請求項１５】
前記ビーム整形器は光回折に基づくビーム整形器であり、第１レンズ、第１回折素子、第２回折素子及び第２レンズを含み、
前記ビーム整形器はレーザー送信機が送信したレーザーを対応した光ファイバにカップリングするのは、
前記第１レンズは前記レーザー送信機が送信したビームを速軸方向においてコリメーションして、細長いストリップのビームに変えること、
前記第１回折素子は前記細長いストリップのビームを若干ビームに分け、中心ビームを除いて、残りの各ビームがそれぞれ異なる空間的向きに偏向すること、
前記第２回折素子は前記残りの各ビームを補正して、前記残りの各ビームと前記中心ビームを平行にさせること、及び
前記第２レンズは前記第２回折素子からの前記残りの各ビーム及び前記中心ビームを重なり合わせ且つ対応した光ファイバの端面にフォーカスすることを含むことを特徴とする請求項１２に記載のレーザー測距方法。
【請求項１６】
前記各受信機モジュールは複数のマイクロレンズを更に含み、前記複数のマイクロレンズが前記受信機モジュールにおける複数の受信機に一々対応し、前記マイクロレンズは光ファイバが伝導した反射光を対応した受信機に収束することを特徴とする請求項１１に記載のレーザー測距方法。
【請求項１７】
前記第１光ファイバアレイの端面は前記送信レンズの焦点面にあり、前記第２光ファイバアレイの端面は前記受信レンズの焦点面にあることを特徴とする請求項１１に記載のレーザー測距方法。
【請求項１８】
前記第１光ファイバアレイは一次元光ファイバアレイ又は二次元光ファイバアレイであり、前記第２光ファイバアレイは一次元光ファイバアレイ又は二次元光ファイバアレイであることを特徴とする請求項１１−１７のいずれかに記載のレーザー測距方法。
【発明の詳細な説明】
【技術分野】
【０００１】
本出願は２０１８年０４月０４日に中国特許庁に提出し、出願番号が２０１８１０２９７４７９．８で、発明の名称が「レーザーレーダーシステム及びレーザー測距方法」の中国特許出願の優先権を主張し、全ての内容を引用によって本出願に組み合わせる。
【０００２】
本発明はレーザー検出及び測距技術分野に関し、特にレーザーレーダーシステム及びレーザー測距方法に関する。
【背景技術】
【０００３】
レーザー検出及び測距（Ｌｉｇｈｔ  Ｄｅｔｅｃｔｉｏｎ  Ａｎｄ  Ｒａｎｇｉｎｇ、ＬｉＤＡＲ）システムは一般的にレーザーレーダーシステムと呼ばれる。レーザーレーダーの基本的な作業原理は、レーザー送信機はレーザーをターゲットオブジェクトに発射し、受信機はターゲットオブジェクトの発射光を受け、レーザーレーダーはレーザー測距原理に基づきレーザーレーダーからターゲットオブジェクトまでの距離を計算する。なかには、１つのレーザー送信機と１つの受信機を１つのレーザー測距チャネルに組成する。レーザーはターゲットオブジェクトを持続的に走査することによって、該ターゲットオブジェクトにおける全ての目標点のデータを取得することができ、該データをイメージング処理した後で該ターゲットオブジェクトの３次元立体画像することができる。
【０００４】
よく見られた３次元レーザーレーダーは機械式回転レーザーレーダーであり、多くのペアのレーザー送信機及び受信機を含み、各ペアのレーザー送信機及び受信機は異なる空間的な角度位置に向かって、セクターカバレッジを形成し、次に、一軸回転機構を利用し、上記の多くのペアのレーザー送信機及び受信機の全体の回転を駆動し、３次元レーザー走査を実現する。
【０００５】
上記の機械式回転レーザーレーダーのレーザー送信機及び受信機の数が多く、サイズが大きいため、隣接するレーザー測距チャネルの間に大きな物理的間隔が存在し、それによりレーザーレーダー全体のサイズが大きくなり、角度解像度が低い。同時に、正確なフォーカス、送信及び受信光軸の正確な平行を確保するように、各レーザー測距チャネルのレーザー送信機及び受信機を正確に較正する必要があり、且つ隣接するレーザー測距チャネルの間の微小で正確な角度間隔を確保する必要があり、このようなレーザーレーダーの組立及び調整較正の作業負荷が大きくなり、生産効率が低くなり、それにより非常に高い生産コストをもたらす。また、各レーザー測距チャネルの調整較正作業が完成した後に、全てのレーザー送信機及び受信機を接着して固定する必要があるため、一旦ある又はいくつかのレーザー測距チャネルが損壊される際に、全てのレーザー測距チャネルを改めて行組立及び調整較正する必要があり、修理コストが非常に高い。
【発明の概要】
【課題を解決するための手段】
【０００６】
これに対して、本発明の実施例はレーザーレーダーシステムを提供し、レーザースキャン部材及び回転部材を備え、上記回転部材は上記レーザー走査部材を回転することに用いられ、上記レーザー走査部材は、送信アセンブリ、送信レンズ、受信アセンブリ及び受信レンズを含み、上記送信アセンブリは複数の送信機モジュール、複数のマルチコア光ファイバコネクタ及び第１光ファイバアレイを含み、上記複数の送信機モジュールにおける各送信機モジュールは複数のレーザー送信機を含み、各レーザー送信機は１本の光ファイバに対応して、且つ、この光ファイバによって光伝導を行い、上記複数のレーザー送信機に対応した複数の光ファイバは１つのマルチコア光ファイバコネクタによって上記第１光ファイバアレイに接続され、上記送信レンズは上記第１光ファイバアレイからのレーザーをコリメーションした後に送信することに用いられ、上記受信アセンブリは複数の受信機モジュール、複数のマルチコア光ファイバコネクタ及び第２光ファイバアレイを含み、上記複数の受信機モジュールにおけるそれぞれ受信機モジュールは複数の受信機を含み、各受信機は１本の光ファイバに対応して、且つ該光ファイバが伝導した反射光を受信し、上記複数の受信機に対応した複数の光ファイバは１つのマルチコア光ファイバコネクタによって上記第２光ファイバアレイに接続され、受信レンズは、上記レーザーの反射光を受信して、且つ該反射光を上記第２光ファイバアレイに収束することに用いられる。
【０００７】
更に、上記各送信機モジュールは複数のビーム整形器を更に含み、上記複数のビーム整形器が上記送信機モジュールにおける複数のレーザー送信機に一々対応し、上記ビーム整形器はレーザー送信機が送信したレーザーを対応した光ファイバ内にカップリングすることに用いられる。選択可能に、上記ビーム整形器はビスシリンドリカルレンズであってよく、該ビスシリンドリカルレンズの２つのシリンダーの母線は互いに直交する。
【０００８】
或いは、上記ビーム整形器は光回折に基づくビーム整形器であってよく、レーザー送信機が送信したビームを速軸方向においてコリメーションし、細長いストリップのビームになるためのコリメートレンズ、上記細長いストリップのビームを若干のビームに分け、中心ビームを除いて、残りの各ビームをそれぞれ異なる空間的向きへ偏向するための第１回折素子、及び上記残りの各ビームを補正して、上記残りの各ビームと上記中心ビームを重なり合わせ、且つ対応した光ファイバの端面にフォーカスするための第２回折素子を含む。
【０００９】
選択可能に、上記ビーム整形器は他の光回折に基づくビーム整形器であってもよく、レーザー送信機が送信したビームを速軸方向においてコリメーションし、細長いストリップのビームに変えるための第１レンズ、上記細長いストリップのビームを若干のビームに分け、中心ビームを除いて、残りの各ビームをそれぞれ異なる空間的向きへ偏向するための第１回折素子、上記残りの各ビームを補正して、上記残りの各ビームと上記中心ビームを平行にさせるための第２回折素子、及び上記第２回折素子からの上記残りの各ビームと上記中心ビームを重なり合わせ、対応した光ファイバの端面にフォーカスするための第２レンズを含む。
【００１０】
更に、上記それぞれ受信機モジュールは複数のマイクロレンズを更に含み、上記複数のマイクロレンズが該受信機モジュールにおける複数の受信機に一々対応し、光ファイバが伝導した反射光を対応した受信機に収束することに用いられる。
【００１１】
更に、上記第１光ファイバアレイの端面は上記送信レンズの焦点面にあり、上記第２光ファイバアレイの端面は上記受信レンズの焦点面にある。上記第１光ファイバアレイ及び上記第２光ファイバアレイは一次元光ファイバアレイ又は二次元光ファイバアレイである。
【００１２】
選択可能に、上記送信アセンブリの複数の送信機モジュールは１つの回路基板に取り付けられ、或いは各送信機モジュールは１つの回路基板に取り付けられ、或いは上記複数の送信機モジュールはグルーピングするように複数の回路基板に取り付けられる。
【００１３】
選択可能に、上記受信アセンブリの複数の受信機モジュールは１つの回路基板に取り付けられ、或いは各受信機モジュールは１つの回路基板に取り付けられ、或いは上記複数の受信機モジュールはグルーピングするように複数の回路基板に取り付けられる。
【００１４】
本発明の実施例はレーザー測距方法を更に提供し、レーザーレーダーシステムによってレーザー測距を行い、該レーザーレーダーシステムの構造は上記レーザーレーダーシステムと同様である。
【００１５】
上記レーザーレーダーシステムの回転部材は上記レーザーレーダーシステムのレーザー走査部材を回転し、上記レーザーレーダーシステムの各レーザー送信機はレーザーを送信し、上記レーザーが対応した光ファイバによって光伝導され、且つ上記第１光ファイバアレイから送信され、上記レーザーレーダーシステムの送信レンズは上記第１光ファイバアレイからレーザーをコリメーションした後に送信し、上記レーザーレーダーシステムの受信レンズは上記レーザーの反射光を受信し、且つ該反射光を上記第２光ファイバアレイに収束し、上記レーザーレーダーシステムの各受信機は対応した光ファイバが伝導した反射光を受信する。
【００１６】
更に、上記レーザー測距方法は、上記レーザーレーダーシステムの各送信機モジュールは複数のビーム整形器を含み、上記複数のビーム整形器が該送信機モジュールにおける複数のレーザー送信機に一々対応し、上記ビーム整形器がレーザー送信機が送信したレーザーを対応した光ファイバ内にカップリングするステップを更に含む。
【００１７】
選択可能に、上記ビーム整形器はビスシリンドリカルレンズであり、該ビスシリンドリカルレンズの２つのシリンダーの母線は互いに直交する。
【００１８】
選択可能に、上記ビーム整形器は光回折に基づくビーム整形器であり、コリメートレンズ、第１回折素子及び第２回折素子を含み、上記ビーム整形器はレーザー送信機が送信したレーザーを対応した光ファイバ内にカップリングするのは、上記コリメートレンズは上記レーザー送信機が送信したビームを速軸方向においてコリメーションし、細長いストリップのビームに変えること、上記第１回折素子は上記細長いストリップのビームを若干のビームに分け、中心ビームを除いて、残りの各ビームをそれぞれ異なる空間的向きへ偏向すること、及び上記第２回折素子は上記残りの各ビームを補正して、上記残りの各ビームと上記中心ビームを重なり合わせ、且つ対応した光ファイバの端面にフォーカスすることを含む。
【００１９】
選択可能に、上記ビーム整形器は他の光回折に基づくビーム整形器であり、第１レンズ、第１回折素子、第２回折素子及び第２レンズを含み、上記ビーム整形器はレーザー送信機が送信したレーザーを対応した光ファイバ内にカップリングするのは、上記第１レンズは上記レーザー送信機が送信したビームを速軸方向においてコリメーションし、細長いストリップのビームに変えること、上記第１回折素子は上記細長いストリップのビームを若干のビームに分け、中心ビームを除いて、残りの各ビームをそれぞれ異なる空間的向きへ偏向すること、上記第２回折素子は上記残りの各ビームを補正して、上記残りの各ビームと上記中心ビームを平行にさせること、及び上記第２レンズは上記第２回折素子からの上記残りの各ビームと上記中心ビームを重なり合わせ、且つ対応した光ファイバの端面にフォーカスすることを含む。
【００２０】
更に、上記レーザーレーダーシステムの各受信機モジュールは複数のマイクロレンズを更に含み、上記複数のマイクロレンズが該受信機モジュールにおける複数の受信機に一々対応し、上記マイクロレンズは光ファイバが伝導した反射光を対応した受信機に収束する。
【００２１】
更に、上記第１光ファイバアレイの端面は上記送信レンズの焦点面にあり、上記第２光ファイバアレイの端面は上記受信レンズの焦点面にある。
【００２２】
選択可能に、上記第１光ファイバアレイは一次元光ファイバアレイ又は二次元光ファイバアレイであり、上記第２光ファイバアレイは一次元光ファイバアレイ又は二次元光ファイバアレイである。
【発明の効果】
【００２３】
本発明の実施例によるレーザーレーダーシステムは、光ファイバアレイを送信アセンブリのレーザー送信端及び受信アセンブリの反射光入射端として使用することによって、レーザーレーダーの体積を減少して、生産コストを低減させることができ、また、マルチコア光ファイバコネクタによってレーザー送信機及び受信機をグルーピングするように光ファイバアレイに接続することによって、レーザーレーダー構造のモジュラーを実現することができ、それによりレーザーレーダーのメンテナンスコストを低減させる。
【００２４】
本発明の実施例の技術的解決手段をより明確的に説明するために、以下、実施例の叙述に使用する必要がある図面を簡単に説明する。明らかで、以下で叙述した図面はただ本発明のある実施例だけであり、当業者にとって、創造的な作業なしに更にこれらの図面に基づいてその他の図面を取得することができる。
【図面の簡単な説明】
【００２５】
【図１】図１は本発明の実施例によるレーザーレーダーシステムを示す構造模式図である。
【図２】図２は本発明の実施例によるレーザーレーダーシステムにおける送信アセンブリを示す構造模式図である。
【図３】図３は本発明の実施例によるレーザーレーダーシステムにおけるビスシリンドリカルレンズを示す構造模式図である。
【図４】図４は本発明の実施例によるレーザーレーダーシステムにおける１種の光回折に基づくビーム整形器を示す構造模式図である。
【図５】図５は本発明の実施例によるレーザーレーダーシステムにおける多種の光回折に基づくビーム整形器を示す構造模式図である。
【図６】図６は本発明の実施例によるレーザーレーダーシステムにおける受信アセンブリを示す構造模式図である。
【発明を実施するための形態】
【００２６】
以下、本発明の実施例における図面を参照して、本発明の実施例における技術的解決手段を詳細的に説明し、無論、以下で説明された実施例は全部の実施例ではなく、本発明の一部の実施例だけである。以下の実施例に基づいて、当業者は創造的な労働なしに得られたすべての他の実施例は、いずれも本発明が保護する範囲に属する。
【００２７】
図１に示すように、本実施例はレーザーレーダーシステムを提供し、回転部材１１及びレーザー走査部材１２を備える。上記回転部材１１は上記レーザー走査部材１２を回転することに用いられる。具体的に、該回転部材１１によって上記レーザー走査部材１２に３６０度の高速連続回転を実現させる。上記レーザー走査部材１２は送信アセンブリ２１、送信レンズ２２、受信レンズ２３及び受信アセンブリ２４を含む。
【００２８】
更に、上記レーザー走査部材１２の送信アセンブリ２１は複数の送信機モジュール、複数のマルチコア光ファイバコネクタ及び第１光ファイバアレイを含み、受信アセンブリ２４は複数の受信機モジュール、複数のマルチコア光ファイバコネクタ及び第２光ファイバアレイを含む。
【００２９】
図２に示すように、一選択可能な実施例として、本実施例における送信アセンブリ２１はＭ個の送信機モジュール、Ｍ個のマルチコア光ファイバコネクタ及び第１光ファイバアレイ２３０を含む。Ｍは２より大きい又は等しい自然数である。
【００３０】
例えば、上記Ｍ個の送信機モジュールは送信機モジュール２１１、送信機モジュール２１２、……送信機モジュール２１Ｍを含み、上記Ｍ個のマルチコア光ファイバコネクタはマルチコア光ファイバコネクタ２２１、マルチコア光ファイバコネクタ２２２、……マルチコア光ファイバコネクタ２２Ｍを含む。
【００３１】
具体的に、上記送信アセンブリ２１における各送信機モジュールは複数のレーザー送信機を含み、各レーザー送信機が１本の光ファイバに対応し、且つ該光ファイバによって光伝導を行い、各送信機モジュールの複数のレーザー送信機に対応した複数の光ファイバは１つのマルチコア光ファイバコネクタによって上記第１光ファイバアレイ２３０に接続される。図２に示すように、
送信機モジュール２１１にＮ１個のレーザー送信機、例えばレーザー送信機２１１−１、レーザー送信機２１１−２、……レーザー送信機２１１−Ｎ１が含まれ、且つ上記Ｎ１個のレーザー送信機はＮ１本の光ファイバに一々対応し、該Ｎ１本の光ファイバはマルチコア光ファイバコネクタ２２１によって第１光ファイバアレイ２３０に接続され、Ｎ１個のレーザー送信機から第１光ファイバアレイ２３０までのＮ１本の光路を形成し、
送信機モジュール２１２にＮ２個のレーザー送信機、例えばレーザー送信機２１２−１、レーザー送信機２１２−２、……レーザー送信機２１２−Ｎ２が含まれ、且つ上記Ｎ２个レーザー送信機はＮ２本の光ファイバに一々対応し、該Ｎ２本の光ファイバがマルチコア光ファイバコネクタ２２２によって第１光ファイバアレイ２３０に接続され、Ｎ２個のレーザー送信機から第１光ファイバアレイ２３０までのＮ２本の光路を形成し、
送信機モジュール２１ＭにＮＭ個のレーザー送信機、例えばレーザー送信機２１Ｍ−１、レーザー送信機２１Ｍ−２、……レーザー送信機２１Ｍ−ＮＭが含まれ、且つ上記ＮＭ個のレーザー送信機はＮＭ本の光ファイバに一々対応し、該ＮＭ本の光ファイバがマルチコア光ファイバコネクタ２２Ｍによって第１光ファイバアレイ２３０に接続され、ＮＭ個のレーザー送信機から第１光ファイバアレイ２３０までのＮＭ本の光路を形成する。
【００３２】
上記実施例によるレーザーレーダーシステムにおいて、送信アセンブリ２１は合計Ｎ１＋Ｎ２＋…＋ＮＭ個のレーザー送信機が含まれ、該Ｎ１＋Ｎ２＋…＋ＮＭ個のレーザー送信機が送信したＮ１＋Ｎ２＋…＋ＮＭ本のレーザーを、Ｎ１＋Ｎ２＋…＋ＮＭ本の光路を介して第１光ファイバアレイ２３０に到達し、且つ第１光ファイバアレイ２３０の端面から送信され、即ち第１光ファイバアレイ２３０の端面が送信アセンブリ２１のレーザー出射端となる。
【００３３】
本実施例における上記Ｎ１、Ｎ２、…、ＮＭは２より大きい又は等しい自然数である。
選択的な実施形態として、送信アセンブリの複数の送信機モジュールは１つの回路基板に取り付けられてもよいし、各送信機モジュールは１つの回路基板に取り付けられてもよく、例えば送信アセンブリは８つの送信機モジュールを含み、それぞれ８つの回路基板に取り付けられ、或いは複数の送信機モジュールはグルーピングするように複数の回路基板に取り付けられ、例えば送信アセンブリは８つの送信機モジュールを含み、各２つの送信機モジュールは１グループであり、４つの回路基板に取り付けられる。
【００３４】
一好ましい実施例として、上記各送信機モジュールは複数のビーム整形器を更に含み、上記複数のビーム整形器が該送信機モジュールにおける複数のレーザー送信機に一々対応し、レーザー送信機が送信したレーザーを対応した光ファイバにカップリングすることに用いられる。図２に示すように、
送信機モジュール２１１にＮ１個のビーム整形器、例えばビーム整形器２０１−１、ビーム整形器２０１−２、……ビーム整形器２０１−Ｎ１が含まれ、且つ上記Ｎ１個のビーム整形器はそれぞれレーザー送信機２１１−１、レーザー送信機２１１−２、……レーザー送信機２１１−Ｎ１に一々対応し、上記Ｎ１個のレーザー送信機が送信したレーザーを対応したＮ１本の光ファイバにそれぞれカップリングすることに用いられ、
送信機モジュール２１２にＮ２個のビーム整形器、例えばビーム整形器２０２−１、ビーム整形器２０２−２、……ビーム整形器２０２−Ｎ２が含まれ、且つ上記Ｎ２個のビーム整形器はそれぞれレーザー送信機２１２−１、レーザー送信機２１２−２、……レーザー送信機２１２−Ｎ２に一々対応し、上記Ｎ２個のレーザー送信機が送信したレーザーを対応したＮ２本の光ファイバにそれぞれカップリングすることに用いられ、
送信機モジュール２１ＭにＮＭ個のビーム整形器、例えばビーム整形器２０Ｍ−１、ビーム整形器２０Ｍ−２、……ビーム整形器２０Ｍ−ＮＭが含まれ、且つ上記ＮＭ個のビーム整形器はレーザー送信機２１Ｍ−１、レーザー送信機２１Ｍ−２、……レーザー送信機２１Ｍ−ＮＭに一々対応し、上記ＮＭ個のレーザー送信機が送信したレーザーを対応したＮＭ本の光ファイバにそれぞれカップリングすることにもちいられる。
【００３５】
本実施例において上記Ｎ１、Ｎ２、…、ＮＭは２以上の自然数である。
具体的な実施形態として、上記ビーム整形器は図３に示すようなビスシリンドリカルレンズであってよく、該ビスシリンドリカルレンズの２つのシリンダーの母線は互いに直交し、即ちビスシリンドリカルレンズのシリンダーＡの母線Ｌ１とシリンダーＢの母線Ｌ２とは互いに直交する。
【００３６】
マルチラインレーザーレーダーによく使用された高出力パルスレーザーダイオードはエッジ発光半導体レーザーダイオード（Ｅｄｇｅ  Ｅｍｉｔｔｉｎｇ  Ｌａｓｅｒ  Ｄｉｏｄｅ）であり、発光源はチップＰ／Ｎ接合（Ｐ−Ｎ  Ｊｕｎｃｔｉｏｎ）の端面であり、即ちＰ／Ｎ接合の２つの平面が接するスロットである。このようなレーザー送信機の特徴は、Ｐ／Ｎ接合平面に平行である方向において、ビームの線形サイズが大きく（例えば５０ｕｍ〜数百ｕｍ）、発散角が小さく（例えば１０度）、Ｐ／Ｎ接合平面に垂直である方向において、ビームの線形サイズが小さく（例えば１  ｕｍ  −１０ｕｍ）、発散角が大きい（例えば４５度）。線形サイズが大きく、発散角が小さい方向は、スロー軸（Ｓｌｏｗ  Ａｘｉｓ）と呼ばれ、線形サイズが小さく、発散角が大きい方向は、高速軸（Ｆａｓｔ  Ａｘｉｓ）と呼ばれる。
【００３７】
本実施例に用いられる図３に示すようなビスシリンドリカルレンズはレーザービームの高速軸及びスロー軸に対して２つの独立した光学システムをそれぞれ構成する。レーザー送信機が送信したレーザーが上記ビスシリンドリカルレンズを通過して、高速軸の発散角が減少し、スロー軸の発散角が増加し、それによりビームが高速軸及びスロー軸での発散角のバランス、接近を実現する。このため、本実施例に用いられるビスシリンドリカルレンズは高速軸及びスロー軸の２つの方向の違いが大きい楕円形のスポットを、高速軸及びスロー軸の２つの方向の違いが小さい円形又は方形スポットに整形することができ、ビームを光ファイバに効率よくカップリングさせる。
【００３８】
選択可能に、上記ビーム整形器は光回折に基づくビーム整形器であってもよい。一つの実現手段として、図４に示すように、光回折に基づくビーム整形器であって、コリメートレンズ４１、第１回折素子４２及び第２回折素子４３を含む。コリメートレンズ４１はレーザー送信機が送信したビームを速軸方向においてコリメーションし、ビームを細長いストリップのビームに変えることに用いられる。一つの選択可能な実施手段として、該コリメートレンズはマイクロシリンドリカルミラーであってよい。第１回折素子４２は上記細長いストリップのビームを若干のビームに分け、中心ビームを除いて、残りの各ビームをそれぞれ異なる空間的向きへ偏向することに用いられ、第２回折素子４３は上記残りの各ビームを補正して、上記残りの各ビームと中心ビームを重なり合わせ、且つ対応した光ファイバの端面にフォーカスすることに用いられる。
【００３９】
具体的に、図４に示すように、レーザービームがコリメートレンズ４１を通過した後に細長いストリップのビームになる、該細長いストリップのビームが第１回折素子４２によって３つのビーム、ビーム１、ビーム２（中心ビーム）及びビーム３に分けられ、ビーム１が下、右に向かって偏向し、ビーム２は中心ビームであり、システム光軸に平行である伝播方向を保持し、ビーム３が上、左に向かって偏向する。第２回折素子４３はビーム１及びビーム３を補正し、上記ビーム１及びビーム３と中心ビーム２を重なり合わせ、高速軸及びスロー軸の２つの方向の線形サイズ及び発散角の両方が相対的に平衡した方形スポットを形成し、且つ対応した光ファイバの端面にフォーカスする。上記光回折に基づくビーム整形器はビームを光ファイバに効率よくカップリングさせることができる。
【００４０】
他の実現手段として、図５に示すように、他の光回折に基づくビーム整形器は、第１レンズ５１、第１回折素子５２、第２回折素子５３及び第２レンズ５４を含む。第１レンズ５１はレーザー送信機が送信したビームを速軸方向においてコリメーションし、細長いストリップのビームに変えることに用いられ、第１回折素子５２は上記細長いストリップのビームを若干のビームに分け、中心ビームを除いて、残りの各ビームをそれぞれ異なる空間的向きへ偏向することに用いられ、第２回折素子５３は上記残りの各ビームを補正して、上記残りの各ビームと上記中心ビームを平行にさせることに用いられ、第２レンズ５４は上記第２回折素子５３からの上記残りの各ビームと上記中心ビームを重なり合わせ、且つ対応した光ファイバの端面にフォーカスすることに用いられる。上記光回折に基づくビーム整形器はビームを光ファイバに効率よくカップリングさせることができる。
【００４１】
具体的に、図５に示すように、レーザービームはコリメートレンズ５１を通過した後に細長いストリップのビームに変え、該細長いストリップのビームが第１回折素子５２によって３つのビーム、ビーム１、ビーム２（中心ビーム）及びビーム３に分けられ、ビーム１が下、右に向かって偏向し、ビーム２は中心ビームであり、システム光軸に平行である伝播方向を保持し、ビーム３が上、左に向かって偏向する。第２回折素子５３はビーム１及びビーム３を補正して、上記ビーム１及びビーム３と中心ビーム２を平行にさせる。第２レンズ５４は平行したビーム１、ビーム２及びビーム３を重なり合わせ、高速軸及びスロー軸の２つの方向の線形サイズ及び発散角の両方が相対的に平衡した方形スポットを形成し、且つ対応した光ファイバの端面にフォーカスする。上記光回折に基づくビーム整形器はビームを光ファイバに効率よくカップリングさせることができる。
【００４２】
本実施例によるレーザーレーダーシステムの送信レンズ２２は上記第１光ファイバアレイ２３０からのレーザーをコリメーションした後に送信することに用いられる。例えば、上記送信レンズ２２は上記第１光ファイバアレイ２３０から上記複数の送信機モジュールからのレーザーを受信して、コリメーションした後、１つの扇形に分布されたレーザービームアレイを形成し、ターゲットオブジェクトに照射される。
【００４３】
一つの具体的な実施形態として、上記第１光ファイバアレイ２３０は一次元光ファイバアレイ又は二次元光ファイバアレイであり、上記第１光ファイバアレイ２３０の端面は上記送信レンズ２２の焦点面にある。
【００４４】
図６に示すように、一選択可能な実施例として、本実施例における受信アセンブリ２４は、Ｍ個の受信機モジュール、Ｍ個のマルチコア光ファイバコネクタ及び第２光ファイバアレイ２６０を含む。Ｍは２より大きい又は等しい自然数である。
【００４５】
例えば、上記Ｍ個の受信機モジュールは受信機モジュール２４１、受信機モジュール２４２、……受信機モジュール２４Ｍを含み、
上記Ｍ個のマルチコア光ファイバコネクタはマルチコア光ファイバコネクタ２５１、マルチコア光ファイバコネクタ２５２、……マルチコア光ファイバコネクタ２５Ｍを含む。
【００４６】
本実施例による受信アセンブリにおける各受信機モジュールは複数の受信機を含み、各受信機が１本の光ファイバに対応し、且つ該光ファイバが伝導した反射光を受信し、各受信機モジュールの複数の受信機に対応した複数の光ファイバは１つのマルチコア光ファイバコネクタによって上記第２光ファイバアレイ２６０に接続される。図６に示すように、
受信機モジュール２４１はＮ１個の受信機、例えば受信機２４１−１、受信機２４１−２、…受信機２４１−Ｎ１を含み、且つ上記Ｎ１個の受信機がＮ１本の光ファイバに一々対応し、該Ｎ１本の光ファイバがマルチコア光ファイバコネクタ２５１によって上記第２光ファイバアレイ２６０に接続され、Ｎ１個の受信機から第２光ファイバアレイ２６０までのＮ１本の光路を形成し、
受信機モジュール２４２はＮ２個の受信機、例えば受信機２４２−１、受信機２４２−２、……受信機２４２−Ｎ２を含み、且つ上記Ｎ２個の受信機がＮ２本の光ファイバに一々対応し、該Ｎ２本の光ファイバはマルチコア光ファイバコネクタ２５２によって上記第２光ファイバアレイ２６０に接続され、Ｎ２個の受信機から第２光ファイバアレイ２６０までのＮ２本の光路を形成し、
受信機モジュール２４ＭはＮＭ個の受信機、例えば受信機２４Ｍ−１、受信機２４Ｍ−２、……受信機２４Ｍ−ＮＭを含み、且つ上記ＮＭ個の受信機がＮＭ本の光ファイバに一々対応し、該ＮＭ本の光ファイバがマルチコア光ファイバコネクタ２５Ｍによって上記第２光ファイバアレイ２６０に接続され、ＮＭ個の受信機から第２光ファイバアレイ２６０までのＮＭ本の光路を形成する。
【００４７】
本実施例において上記Ｎ１、Ｎ２、…、ＮＭは２以上の自然数である。
本発明の実施例における１つのレーザー送信機と対応した１つの受信機とは１つのレーザー測距チャネルを組成するため、上記実施例において合計Ｎ１＋Ｎ２＋…＋ＮＭ個のレーザー測距チャネルがある。
【００４８】
選択的な実施形態として、受信アセンブリ２４の複数の受信機モジュールは１つの回路基板に取り付けられてもよいし、各受信機モジュールは１つの回路基板に取り付けられてもよく、例えば受信アセンブリ２４は８つの受信機モジュールを含み、それぞれ８つの回路基板に取り付けられ、或いは複数の受信機モジュールが複数の回路基板にグルーピングするように取り付けられ、例えば受信アセンブリ２４は８つの受信機モジュールを含み、各２つの受信機モジュールは１グループであり、４つの回路基板に取り付けられる。
【００４９】
一つの好ましい実施例として、上記各受信機モジュールは複数のマイクロレンズを更に含み、上記複数のマイクロレンズが該受信機モジュールにおける複数の受信機に一々対応し、光ファイバが伝導した反射光を対応した受信機に収束することに用いられる。図５に示すように、
受信機モジュール２４１にＮ１個のマイクロレンズ、例えばマイクロレンズ２７１−１、マイクロレンズ２７１−２、……マイクロレンズ２７１−Ｎ１が含まれ、且つ上記Ｎ１個のマイクロレンズがそれぞれ受信機２４１−１、受信機２４１−２、……受信機２４１−Ｎ１に一々対応し、
受信機モジュール２４２にＮ２個のマイクロレンズ、例えばマイクロレンズ２７２−１、マイクロレンズ２７２−２、……マイクロレンズ２７２−Ｎ２が含まれ、且つ上記Ｎ２個のマイクロレンズがそれぞれ受信機２４２−１、受信機２４２−２、……受信機２４２−Ｎ２に一々対応し、
受信機モジュール２４ＭにＮＭ個のマイクロレンズ、例えばマイクロレンズ２７Ｍ−１、マイクロレンズ２７Ｍ−２、……マイクロレンズ２７Ｍ−ＮＭが含まれ、上記ＮＭ個のマイクロレンズが受信機２４Ｍ−１、受信機２４Ｍ−２、……受信機２４Ｍ−ＮＭに一々対応する。
【００５０】
受信レンズ２３はレーザーの反射光を受信して、且つ反射光を第２光ファイバアレイ２６０に収束し、即ち第２光ファイバアレイ２６０の端面が受信アセンブリ２４のレーザー入射端となる。具体的に、受信レンズ２３はターゲットオブジェクトによって反射された光、即ち反射光を受信し、該反射光は上記一番目の光ファイバアレイ２３０が送信したＮ１＋Ｎ２＋…＋ＮＭ本のレーザーの反射光である。上記反射光は受信レンズによって収束された後に、上記第２光ファイバアレイ２６０の端面に到達し、且つＮ１＋Ｎ２＋…＋ＮＭ本の光路を通過してＮ１＋Ｎ２＋…＋ＮＭ個の受信機に到達する。例えば、光路可逆性に基づき、送信レンズ２１により送信出した扇形に分布されたレーザービームアレイを、ターゲットオブジェクトにより反射した後に、反射光が依然として扇形アレイに受信レンズ２３に入って且つフォーカスされ、第２光ファイバアレイ２６０に入る。
【００５１】
本実施例において上記Ｎ１、Ｎ２、…、ＮＭは２以上の自然数である。
具体的な実施形態として、上記第２光ファイバアレイ２６０は一次元光ファイバアレイ又は二次元光ファイバアレイであり、上記第２光ファイバアレイ２６０の端面は上記受信レンズ２３の焦点面にある。
【００５２】
本発明の実施例はレーザー測距方法を更に提供し、該レーザー測距方法は前記の実施例によるレーザーレーダーシステムによってレーザー測距を行い、該レーザーレーダーシステムの具体的な構造及び作業過程は上記実施例のようなものであり、ここで説明しない。
【００５３】
本発明の実施例によるレーザーレーダーシステムは、全てのレーザー送信機から送信レンズまで、受信レンズから受信機までの光路はいずれも細い、柔らかい光ファイバによって接続され、且つレーザーの出射端及び反射光の入射端はいずれも光ファイバアレイの端面であるため、送信アセンブリの光ファイバアレイを送信レンズの焦点面に取り付け、受信アセンブリの光ファイバアレイを受信レンズの焦点面に取り付けるだけで、レーザー送信機及び受信機の配列は送信及び受信角度の制限を受けなく、レーザー走査部材の任意の位置にレイアウトすることができる。同時に、光ファイバアレイのサイズが小さく、光ファイバの集積度が高いため、光ファイバアレイを送信アセンブリにおけるレーザーの出射端及び入射アセンブリにおけるレーザーの入射端とする場合に、送信端及び受信端はただそれぞれ１つの小口径のレンズ窓だけで、数十のチャネルのマルチラインレーザーレーダーを実現することができる。以上のように、本実施例による技術的解決手段によって、機械式回転レーザーレーダーの体積を減少することができる。
【００５４】
他方で、光ファイバアレイを送信アセンブリのレーザー出射端及び受信アセンブリのレーザー入射端として、複数のレーザー測距チャネルの相対角度位置を正確に固定することを実現する。このため、本実施例によるレーザーレーダーシステムはレーザー測距チャネルがどのぐらいあるにも関わらず、ただ勝手に２つのレーザー測距チャネルを選択してフォーカス及び光軸アライメント作業を行うだけで、残りの全てのレーザー測距チャネルの正確なフォーカス及び光軸アライメントを実現することができ、全てのレーザー測距チャネルを逐一に調整較正する必要がなく、隣接するチャネルの角度間隔を逐一に調整する必要もなく、マルチラインレーザーレーダーの組立及び調整較正効率を大幅に向上させ、生産コストを低減させる。
【００５５】
なお、本発明の実施例によるレーザーレーダーシステムは、レーザー送信機と第１光ファイバアレイとの間の光ファイバは複数のマルチコア光ファイバコネクタによってグルーピングして接続され、受信機と第２光ファイバアレイとの間の光ファイバも複数のマルチコア光ファイバコネクタによってグルーピングして接続されるため、あるレーザー送信機又は受信機に故障が発生する場合に、該レーザー送信機又は受信機を接続するそのマルチコア光ファイバコネクタを分離して、対応した送信機モジュール又は受信機モジュールを取り外して修理又は交換すればよく、全てのレーザー送信機又は受信機を分解する必要がない。それと同時に、マルチコア光ファイバコネクタの接続によって、レーザー送信機と送信アセンブリの光ファイバアレイとは相対的に独立したモジュールになり、受信機と受信アセンブリの光ファイバアレイも相対的に独立したモジュールになるため、レーザー送信機又は受信機の分解、修理は光ファイバアレイのレイアウト及び位置に影響を与えなく、修正作業が完成した後にレーザー測距チャネルのフォーカス及び光軸アライメント作業を改めて行う必要がなく、レーザーレーダーの修理コストを低減させる。以上のように、本実施例によるレーザーレーダーシステムは、複数のマルチコア光ファイバコネクタによって複数のレーザー送信機を送信アセンブリの光ファイバアレイにグルーピングして接続し、複数のマルチコア光ファイバコネクタによって複数の受信機グルーピングを受信アセンブリの光ファイバアレイに接続することによって、レーザーレーダーの送信アセンブリ及び受信アセンブリはモジュラー構造を実現させ、それにより送信アセンブリと受信アセンブリのグルーピング分解及びプラグアンドプレイを実現し、レーザーレーダーのメンテナンスコストを低減させる。
【００５６】
以上の実施例及び図面は本発明の技術的解決手段の例示的な説明だけであり、本発明の保護範囲を限定するためのものではない。本発明の精神及び原則を逸脱しない限り、行った任意の修正、等価置換、改善等は、いずれも本発明の保護範囲に含まれるべきである。
【図１】
2021517634.tif 000003
【図２】
2021517634.tif 000004
【図３】
2021517634.tif 000005
【図４】
2021517634.tif 000006
【図５】
2021517634.tif 000007
【図６】
2021517634.tif 000008
【国際調査報告】
2021517634.tif 000009
2021517634.tif 000010
2021517634.tif 000011
2021517634.tif 000012